(57)【要約】【課題】  ヒンジ固定部の連結部箇所において、補強部品を使用しなくても必要とする強度を確保することが可能であると共に、部品点数を減らして、コスト削減並びに組立て性改善が図れる携帯情報端末を提供することを目的とする。【解決手段】  キー側筐体と、第一のケース、第二のケース、第一のケースと第二のケースの内部に設けられ、表示部を駆動する基板を有する表示側筐体と、キー側筐体に設けられて、キー側筐体と表示側筐体を折り畳み可能に開閉させる機構を含む開閉ヒンジおよびキー側筐体と表示側筐体の回動動作を保持するダミーヒンジを有するヒンジユニットと、第一のケース又は第二のケースのいずれか一方に形成され、開閉ヒンジに差し込まれる第一のヒンジ固定部と、第一のケース又は第二のケースのうち、第一のヒンジ固定部が形成されていない方に一体に形成され、ダミーヒンジに差し込まれる第二のヒンジ固定部とを設けたことを特徴とする。【選択図】        図３
2006020199.tif 000002
【特許請求の範囲】
【請求項１】
少なくともキー操作部が設けられたキー側筐体と、
第一のケース、第二のケース、前記第一のケースと前記第二のケースの内部に設けられ、表示部を駆動する基板を有する表示側筐体と、
前記キー側筐体に設けられて、前記キー側筐体と前記表示側筐体を折り畳み可能に開閉させる機構を含む開閉ヒンジおよび前記キー側筐体と前記表示側筐体の回動動作を保持するダミーヒンジを有するヒンジユニットと、
前記第一のケース又は前記第二のケースのいずれか一方に形成され、前記開閉ヒンジに差し込まれる第一のヒンジ固定部と、
前記第一のケース又は前記第二のケースのうち、前記第一のヒンジ固定部が形成されていない方に一体に形成され、前記ダミーヒンジに差し込まれる第二のヒンジ固定部とを設けたことを特徴とする携帯情報端末。
【請求項２】
前記開閉ヒンジに差し込まれる第一のヒンジ固定部が一体に形成されたケースの材料を高剛性材料としたことを特徴とする請求項１記載の携帯情報端末。
【請求項３】
前記高剛性材料として、Ｍｇ（マグネシウム）・ＰＣ（ポリカーボネイト）＋ＡＳＡ（ポリスチレンアクリルゴムポリマー）を用いたことを特徴とする請求項２記載の携帯情報端末。
【請求項４】
前記ヒンジ固定部の近傍に、前記第一のケースと前記第二のケースを固定する締結部を設けたことを特徴とする請求項１記載の携帯情報端末。
【請求項５】
少なくともキー操作部が設けられたキー側筐体と、
第一のケース、第二のケース、前記第一のケースと前記第二のケースの内部に設けられ、表示部を駆動する基板を有する表示側筐体と、
前記キー側筐体に設けられて、前記キー側筐体と前記表示側筐体を折り畳み可能に開閉させる機構を含む開閉ヒンジおよび前記キー側筐体と前記表示側筐体の回動動作を保持するダミーヒンジを有するヒンジユニットと、
前記第一のケース又は前記第二のケースのいずれか一方に形成され、前記開閉ヒンジに差し込まれる第一のヒンジ固定部と、
前記第一のケース又は前記第二のケースのうち、前記第一のヒンジ固定部が形成されていない方に一体に形成され、前記ダミーヒンジに差し込まれる第二のヒンジ固定部と、
前記キー側筐体と前記表示側筐体との配線に用いられるケーブルと、
を設けたことを特徴とする携帯情報端末。
【請求項６】
少なくともキー操作部が設けられたキー側筐体と、
第一のケース、第二のケース、前記第一のケースと前記第二のケースの内部に設けられ、表示部を駆動する基板を有する表示側筐体と、
前記キー側筐体に設けられて、前記キー側筐体と前記表示側筐体を折り畳み可能に開閉させる機構を含む開閉ヒンジ、前記キー側筐体と前記表示側筐体の回動動作を保持するダミーヒンジおよび回転用ヒンジを有するヒンジユニットと、
前記第一のケース又は前記第二のケースのいずれか一方に形成され、前記開閉ヒンジに差し込まれる第一のヒンジ固定部と、
前記第一のケース又は前記第二のケースのうち、前記第一のヒンジ固定部が形成されていない方に一体に形成され、前記ダミーヒンジに差し込まれる第二のヒンジ固定部と、
を設けたことを特徴とする携帯情報端末。
【発明の詳細な説明】
【技術分野】
【０００１】
この発明は、携帯情報端末に関するものである。
【背景技術】
【０００２】
近年、携帯情報端末、特に携帯電話機においては、折り畳むことによってコンパクトになることから、折り畳み式の携帯情報端末が好まれるようになってきた。これらの携帯情報端末において、最近では、単に開閉のみでなく、多軸ヒンジを使用し、回転等の動作も可能な携帯情報端末も実用されている。
【０００３】
従来の多軸ヒンジ機構を使用した折り畳み式の携帯情報端末は、ヒンジと筐体間にヒンジの固定用に別部品を設ける構造であった。この携帯情報端末は、ヒンジユニットが設けられたキー側筐体と、ケースＦ及びケースＲを有するＬＣＤ（液晶ディスプレイ）側筐体と、別部品のヒンジ固定部とで構成される。先ず、ヒンジ固定部をキー側筐体のヒンジに挿入し、その後ＬＣＤ側筐体のケースＦ及びケースＲをヒンジ固定部を挟み込んで固定する。そして、ダミーヒンジが中空になっているので、ここに配線を通す構成である。
【特許文献１】特開２００２−３２００１０号公報
【特許文献２】特開２００３−２２９９３８号公報
【発明の開示】
【発明が解決しようとする課題】
【０００４】
従来の多軸ヒンジを使用した携帯情報端末においては、ヒンジと筐体間にヒンジの固定用に別部品を設けているため、部品点数が多くコスト高となり、組立て作業性が悪くなると共に、ヒンジ固定部の連結箇所の強度を補強する部品が必要になる等の問題点があった。
【０００５】
この発明は、上記のような問題点を解決するためになされたもので、ヒンジ固定部の連結部箇所において、補強部品を使用しなくても必要とする強度を確保することが可能であると共に、部品点数を減らして、コスト削減並びに組立て性改善が図れる携帯情報端末を提供することを目的とする。
【課題を解決するための手段】
【０００６】
この発明に係る携帯情報端末は、少なくともキー操作部が設けられたキー側筐体と、第一のケース、第二のケース、第一のケースと第二のケースの内部に設けられ、表示部を駆動する基板を有する表示側筐体と、キー側筐体に設けられて、キー側筐体と表示側筐体を折り畳み可能に開閉させる機構を含む開閉ヒンジおよびキー側筐体と表示側筐体の回動動作を保持するダミーヒンジを有するヒンジユニットと、第一のケース又は第二のケースのいずれか一方に形成され、開閉ヒンジに差し込まれる第一のヒンジ固定部と、第一のケース又は第二のケースのうち、第一のヒンジ固定部が形成されていない方に一体に形成され、ダミーヒンジに差し込まれる第二のヒンジ固定部とを設けたことを特徴とする。
【発明の効果】
【０００７】
この発明に係る携帯情報端末は、上記構成によりヒンジ固定部の連結部箇所において、補強部品を使用しなくとも必要とする強度を確保することが可能であるとともに、部品点数を減らして、コスト削減並びに組立て性改善を図ることができる。
【発明を実施するための最良の形態】
【０００８】
実施の形態１．
図１〜８は実施の形態１を示す図で、図１は多軸ヒンジ携帯電話機（携帯情報端末の一例）の外観斜視図、図２はＬＣＤ側筐体を取り外した状態の多軸ヒンジ携帯電話機の斜視図、図３はＬＣＤ側筐体を分解した斜視図、図４は多軸ヒンジ携帯電話機（携帯情報端末の一例）の変形例の外観斜視図、図５はＬＣＤ側筐体を取り外した状態の多軸ヒンジ携帯電話機の変形例の斜視図、図６はＬＣＤ側筐体を分解した変形例の斜視図、図７，８はヒンジ固定部近傍の断面図である。
【０００９】
図１に示すように、多軸ヒンジ携帯電話機（携帯情報端末の一例）は、ＬＣＤ（液晶ディスプレイ）側筐体（表示部側筐体の一例）２と、ヒンジユニット４が設けられたキー側筐体３とを備える。
【００１０】
図２に示すように、ヒンジユニット４は、開閉用ヒンジ４ａ、ダミーヒンジ４ｂ、回転用ヒンジ４ｃで構成される。
【００１１】
図３に示すように、ＬＣＤ側筐体２は、ケースＦ（第一のケースの一例）２ａ、ＬＣＤ側基板５、ケースＲ（第二のケースの一例）２ｂを備え、ケースＦ２ａとケースＲ２ｂの中にＬＣＤ側基板５が実装される。ケースＦ２ａには、ヒンジユニット４の開閉用ヒンジ４ａに挿入されるヒンジ固定部Ａ（第一のヒンジ固定部）が、ケースＲ２ｂには、ヒンジユニット４のダミーヒンジ４ｂに挿入されるヒンジ固定部Ｂ（第二のヒンジ固定部）がそれぞれ一体に設けられている。ＬＣＤ側基板５は、一例であり、薄型表示装置であればよく、ＬＣＤでなくてもよい。
【００１２】
開閉用ヒンジ４ａに挿入されるケースＦ２ａは、ダミーヒンジ４ｂに挿入されるケースＲ２ｂよりも負荷が大きいため、ケースＦ２ａの材料には高剛性材料を使用する。高剛性材料は、例えば、
（１）Ｍｇ（マグネシウム）・ＰＣ（ポリカーボネイト）＋ＡＳＡ（ポリスチレンアクリルゴムポリマー）
ここで、ＰＣ＋ＡＳＡは、それぞれの樹脂をブレンドしたものである。
（２）アルミニゥム合金
（３）ＰＣ＋ＡＳＡにグラスファイバー混ぜる。
（４）ＰＣ＋ＡＳＡにカーボンファイバー混ぜる。
等がある。
【００１３】
また、ダミーヒンジ４ｂに挿入されるケースＲ２ｂにも同様の材料を用いる。
【００１４】
多軸ヒンジ携帯電話機の組立て方法として、ケースＦ２ａと開閉用ヒンジ４ａ、ケースＲ２ｂとダミーヒンジ４ｂをそれぞれ挿し込み、ケースＦ２ａとケースＲ２ｂを回転させ、ケースＦ２ａとケースＲ２ｂの中にＬＣＤ側基板５を実装し、嵌合爪もしくは締結ねじ等、あるいはそれらを組み合わせて用い、ケースＦ２ａとケースＲ２ｂを嵌合固定する。
【００１５】
図１〜３に示した多軸ヒンジ携帯電話機では、ヒンジユニット４の開閉用ヒンジ４ａに挿入されるヒンジ固定部Ａ６ａをケースＦ２ａに一体に設け、ヒンジユニット４のダミーヒンジ４ｂに挿入されるヒンジ固定部Ｂ６ｂをケースＲ２ｂに一体に設けるものを示したが、図４〜６に示すように、ヒンジユニット４の開閉用ヒンジ４ａに挿入されるヒンジ固定部Ａ６ａをケースＲ２ｂに一体に設け、ヒンジユニット４のダミーヒンジ４ｂに挿入されるヒンジ固定部Ｂ６ｂをケースＦ２ａに一体に設ける構成でもよい。
【００１６】
この場合の多軸ヒンジ携帯電話機の組立て方法は、ケースＲ２ｂと開閉用ヒンジ４ａ、ケースＦ２ａとダミーヒンジ４ｂをそれぞれ挿し込み、ケースＦ２ａとケースＲ２ｂを回転させ、ケースＦ２ａとケースＲ２ｂの中にＬＣＤ側基板５を実装し、嵌合爪もしくは締結ねじ等、あるいはそれらを組み合わせて用い、ケースＦ２ａとケースＲ２ｂを嵌合固定する。
【００１７】
図７はヒンジ固定部の連結箇所のさらなる強度向上のため、ヒンジ固定部の近傍に設けたツメ部７によりケースＦ２ａとケースＲ２ｂを固定する例を示している。このように、ヒンジ固定部の近傍にケースＦ２ａとケースＲ２ｂを固定するツメ部７（締結部の一例）を設けることにより、連結箇所に加わる荷重を軽減できる。
【００１８】
また、図８に示すように、ヒンジ固定部の近傍にケースＦ２ａとケースＲ２ｂを固定するネジボス部９（締結部の一例）を設けることでも、図７と同様連結箇所に加わる荷重を軽減できる。
【００１９】
以上のように、本実施の形態によれば、ＬＣＤ側筐体２のケースＦ２ａ又はケースＲ２ｂの何れか一方に、キー側筐体３に固定されたヒンジユニット４の開閉用ヒンジ４ａに差し込まれるヒンジ固定部Ａ６ａを一体に設け、ＬＣＤ側筐体２のケースＦ２ａ又はケースＲ２ｂの何れか他方に、キー側筐体３に固定されたヒンジユニット４のダミーヒンジ４ｂに差し込まれるヒンジ固定部Ｂ６ｂを一体に設け、ヒンジ固定部Ａ６ａと開閉用ヒンジ４ａ、ヒンジ固定部Ｂ６ｂとダミーヒンジ４ｂをそれぞれ嵌合し、ケースＦ２ａとケースＲ２ｂを回転させ、ケースＦ２ａとケースＲ２ｂの中にＬＣＤ側基板５を実装し、嵌合爪もしくは締結ねじ等、あるいはそれらを組み合わせて用い、ケースＦ２ａとケースＲ２ｂを嵌合固定することにより、ヒンジ固定部の連結部箇所において、補強部品を使用しなくても必要とする強度を確保することが可能であると共に、部品点数を減らして、コスト削減並びに組立て性改善が図れる。
【００２０】
また、ヒンジ固定部の近傍にケースＦ２ａとケースＲ２ｂを固定するツメ部７又はネジボス部９を設けることにより、連結箇所に加わる荷重を軽減でき、ヒンジ固定部の連結箇所のさらなる強度向上が図れる。
【００２１】
実施の形態２．
図９〜１１は実施の形態２を示す図で、図９は折りたたみ式携帯電話機の外観斜視図、図１０はＬＣＤ側筐体を取り外した状態の折りたたみ式携帯電話機の斜視図、図１１は従来のＦＰＣ（フレキシブルプリント配線板）による接続方法と対比して示したケーブルによる接続方法を示す図である。
【００２２】
図９に示すように、折りたたみ式携帯電話機２０は、開閉のみのヒンジユニット１０が固定されたキー側筐体３と、ＬＣＤ側筐体２とを備える。
【００２３】
図１０に示すように、開閉のみのヒンジユニット１０は、開閉用ヒンジ１０ａ、ダミーヒンジ１０ｂで構成される。
【００２４】
ヒンジ固定部Ａ６ａ、ヒンジ固定部Ｂ６ｂについては、実施の形態１と同様であるので、説明は省略する。
【００２５】
図１１に示すように、従来のＦＰＣによる接続方法では、ＦＰＣを開閉ヒンジの軸部分に巻いて配線していたが、ＦＰＣパターン断線等の問題点があった。本実施の形態の構成とすることにより、ケーブル８による接続が可能となり、ケーブルにより容易に曲げることができ、被覆されているので擦れに対して強くなる。
【００２６】
以上のように、本実施の形態によれば、折りたたみ式携帯電話機に実施の形態１の構成を用いれば、ケーブルによる接続が可能となり擦れに対して強くなるので、従来のＦＰＣパターン断線等の問題点を解消できる。
【図面の簡単な説明】
【００２７】
【図１】実施の形態１を示す図で、多軸ヒンジ携帯電話機の外観斜視図である。
【図２】実施の形態１を示す図で、ＬＣＤ側筐体を取り外した状態の多軸ヒンジ携帯電話機の斜視図である。
【図３】実施の形態１を示す図で、ＬＣＤ側筐体を分解した斜視図である。
【図４】実施の形態１を示す図で、多軸ヒンジ携帯電話機の変形例の外観斜視図である。
【図５】実施の形態１を示す図で、ＬＣＤ側筐体を取り外した状態の多軸ヒンジ携帯電話機の変形例の斜視図である。
【図６】実施の形態１を示す図で、ＬＣＤ側筐体を分解した変形例の斜視図である。
【図７】実施の形態１を示す図で、ヒンジ固定部近傍の断面図である。
【図８】実施の形態１を示す図で、ヒンジ固定部近傍の断面図である。
【図９】実施の形態２を示す図で、折りたたみ式携帯電話機の外観斜視図である。
【図１０】実施の形態２を示す図で、ＬＣＤ側筐体を取り外した状態の折りたたみ式携帯電話機の斜視図である。
【図１１】実施の形態２を示す図で、従来のＦＰＣによる接続方法と対比して示したケーブルによる接続方法を示す図である。
【符号の説明】
【００２８】
１  多軸ヒンジ携帯電話機、２  ＬＣＤ側筐体、２ａ  ケースＦ、２ｂ  ケースＲ、３  キー側筐体、４  ヒンジユニット、４ａ  開閉用ヒンジ、４ｂ  ダミーヒンジ、４ｃ  回転用ヒンジ、５  ＬＣＤ側基板、６ａ  ヒンジ固定部Ａ、６ｂ  ヒンジ固定部Ｂ、７  ツメ部、８  ケーブル、９  ネジボス部、１０  開閉のみのヒンジユニット、１０ａ  開閉用ヒンジ、１０ｂ  ダミーヒンジ、２０  折りたたみ式携帯電話機。
【図１】
2006020199.tif 000003
【図２】
2006020199.tif 000004
【図３】
2006020199.tif 000005
【図４】
2006020199.tif 000006
【図５】
2006020199.tif 000007
【図６】
2006020199.tif 000008
【図７】
2006020199.tif 000009
【図８】
2006020199.tif 000010
【図９】
2006020199.tif 000011
【図１０】
2006020199.tif 000012
【図１１】
2006020199.tif 000013